(57)【要約】  単相母線を互いに平行に配置された３相からなる主母線と、それぞれ上記主母線と直角方向に平行配置され、それぞれ両端部に所定間隔を置いて２つの接続端子を有する３相の遮断器とを備えたガス絶縁開閉装置において、上記主母線のそれぞれを上記遮断器の２つの接続端子間に配置したものである。
2008075436.tif 000002
【特許請求の範囲】
【請求項１】
互いに平行に配置された多相主母線と直角方向に平行配置されると共に、前記主母線方向から見て互いに重なって配置された多相遮断器を各相別に金属容器内に収納してなるガス絶縁開閉装置において、上記多相主母線を上記多相遮断器の両口出部間に配置したことを特徴とするガス絶縁開閉装置。
【請求項２】
上記主母線のそれぞれを上記遮断器の両口出部間の中央部に位置するように互いに垂直方向に平行配置したことを特徴とする請求項１に記載のガス絶縁開閉装置。
【請求項３】
上記主母線の２つを上記遮断器の両口出部間の中央部に垂直配置し、他の１つを上記２つの主母線との間で直角二等辺三角形を形成するように配置したことを特徴とする請求項１に記載のガス絶縁開閉装置。
【請求項４】
３相主母線を一群とする複数群の主母線からなり、上記複数群の主母線のそれぞれを上記多相遮断器の両口出部間に配置したことを特徴とする請求項１に記載のガス絶縁開閉装置。
【発明の詳細な説明】
【技術分野】
【０００１】
本発明は、変電所などに設置されるガス絶縁開閉装置に関するものである。
【背景技術】
【０００２】
ガス絶縁開閉装置は、高絶縁性能を有するＳＦ6等の絶縁ガスが封入された金属容器内に高圧導体、開閉機器、接地装置等を相互に接続して収納したものであり、気中絶縁開閉装置と比較して絶縁性能が優れ据付のための所要面積が小さくなる利点があることから、近年、発電所、変電所等において広く採用されている。【０００３】
このようなガス絶縁開閉装置において、より一層の小型縮小化を目的とした各種提案がなされており（特許文献１を参照）、図７により上記特許文献１に示されたガス絶縁開閉装置の一例を説明する。図７中、(a)は正面図、(b)は平面図を示しており、相間寸法Ｌ2を介して互いに水平配置された２重母線２a〜２c、３a〜３cと、これと９０度異なる方向に延びる線路側の回線１２a〜１２cとを遮断器１a〜１c、断路器６a〜６c、７a〜7ｃ、９a〜９c等を介して接続する部分にガス絶縁開閉装置を適用したものを示している。【０００４】
図７において、３相分の単相ガス絶縁遮断器１a〜１cは紙面に垂直方向に３個並設されており、図では手前の一相分のみが表示されている。上記３相分の単相ガス絶縁遮断器１a〜１cの口出部の一つである母線側端子１０には、それぞれ計器用変成器４a〜４cを介してＴ字形接続母線５a〜５cが設けられ、この接続母線５a〜５cの一端に甲母線断路器６a〜６cを介して甲母線２a〜２cが接続され、またＴ字形接続母線５a〜５cの反対側の端部には、乙母線断路器７a〜７cを介して乙母線３a〜３ｃが接続されている。【０００５】
一方、単相ガス絶縁遮断器１a〜１cの他の口出部である線路側端子１１は、計器用変流器８a〜８cを介して線路側断路器９a〜９cが設けられ、この線路側断路器９a〜９cに線路側の回線１２a〜１２cが接続されている。なお、１２は金属容器を通して接地する接地装置である。
ところが、上記構成のガス絶縁開閉装置においては、３相分の単相母線からなる甲母線２a〜２cおよび乙母線３a〜３cを、それぞれ各単相母線が干渉しないように所定の相間寸法Ｌ2だけずらして平行に配置されている一方、３相分の遮断器１a〜１cは図のように重なって配置されるため、相間寸法分ずれて配置された各相の母線との接続を行うために接続母線５a〜５cの長さを調整しなければならず、各相の遮断器ごとに異なった寸法のＴ字形接続母線５a〜５cを用意しなければならない、小型化、標準化の妨げとなっていた。【０００６】
このため、特許文献１では、各相の遮断器を母線の相間寸法分ずらして平行に配置し、各相で同一形状のＴ字形接続母線を使用するようにすることにより、全体構成の小型縮小化、構成部品の標準化を図るようにしている。
しかしながらこのような方法においても、遮断器１a〜１cが母線の相間寸法分ずらして配置されているため、また、甲母線２a〜２c、乙母線３a〜３cを取付け面Ｆに対して互いに水平に平行配置されているため、母線を遮断器の両口出部寸法を逸脱して配置せざるを得ず、依然、全体の据付面積が大きくなる問題があった。【０００７】
【特許文献１】特開平４−３０４１０５号公報
【発明の開示】
【発明が解決しようとする課題】
【０００８】
本発明は、上述のような背景に鑑みてなされたもので、母線の配置構成を変更することにより、更なる小型化、標準化を簡単に実現することができるガス絶縁開閉装置を提供するものである。
【課題を解決するための手段】
【０００９】
この発明は、単相母線を互いに平行に配置された多相主母線と、それぞれ上記主母線と直角方向に互いに平行配置され、それぞれ所定間隔を置いて２つの口出線部を有する遮断器とを備えたガス絶縁開閉装置において、上記主母線のそれぞれを上記遮断器の２つの口出線部間に配置したことを特徴とするものである。
【発明の効果】
【００１０】
この発明のガス絶縁開閉装置は、主母線を遮断器の口出線部間に配置することにより、据付面積を縮小化でき、また共通部品の利用により標準化を更に進めることができるものである。
【図面の簡単な説明】
【００１１】
【図１】この発明の実施の形態１に係るガス絶縁開閉装置の構成例を示す図である。
【図２】この発明の実施の形態１に係るガス絶縁開閉装置の他の構成例を示す図である。
【図３】この発明の実施の形態２に係るガス絶縁開閉装置の構成例を示す図である。
【図４】この発明の実施の形態２に係るガス絶縁開閉装置の他の構成例を示す図である。
【図５】この発明の実施の形態３に係るガス絶縁開閉装置の構成例を示す図である。
【図６】この発明の実施の形態３に係るガス絶縁開閉装置の他の構成例を示す図である。
【図７】従来のガス絶縁開閉装置の構成を示す図である。
【発明を実施するための最良の形態】
【００１２】
実施の形態１．
以下、本発明によるガス絶縁開閉装置の実施形態について図面を用いて説明する。
図１に、本発明の実施の形態１によるガス絶縁開閉装置の構成例を示す。ここで、図７で説明した従来の構成例と同一部分あるいは相当部分には同一符号を付して示している。図中（ａ）は平面図、（ｂ）は（ａ）のＡ−Ａ線断面図、（ｃ）は同じくＢ−Ｂ線断面図、（ｄ）はＣ−Ｃ線断面図を示している。図において、１a〜１ｃは遮断器、２a〜２cは垂直方向に互いに平行配置されている主母線、１０a、１１a、１０b、１１b、１０c、１１cはそれぞれ上記遮断器１a〜１ｃの外部との接続端子である口出部を示しており、１０a、１０b、１０cは口出部の一つである母線側接続端子を、１１a、１１b、１１cは他の口出部である線路側接続端子を示している。【００１３】
上記母線側接続端子１０a、１０b、１０cには、それぞれ上記遮断器１a〜１ｃと主母線２a〜２cとの接続を行うために内部に断路器が内蔵された連結部２０a、２０b、２０cが連結されている。上記連結部２０a、２０b、２０cは上記主母線２a〜２cが垂直方向に配設されているため、各相に応じて異なる形状、すなわち、第１相は（ｂ）図のように中央母線（水平方向）に、第２相は（ｃ）図のように上部母線に、第３相は（ｄ）図のように下部母線にそれぞれ連結されている。一方、線路側接続端子１１a、１１b、１１cには外部線路(図示せず)との接続を行うために、やはり内部に断路器が内蔵された連結部２１a、２１b、２１cが連結されている。【００１４】
このように、実施の形態１によるガス絶縁開閉装置の構成例によれば、主母線２a〜２cを遮断器１a〜１ｃの口出部間の中央部分に垂直方向に配置することにより、従来例のように主母線が遮断器の口出部間寸法を逸脱することがなく、ガス絶縁開閉装置の小型・縮小化を図ることができ、その据付面積を少なくすることができる。また、外部線路との連結部２１a、２１b、２１cは各相について同一のものが使用でき、更に上記連結部２０a、２０b、２０cの内、第２相と第３相とは同一形状にて構成することができるためその標準化に寄与することができる。【００１５】
図２は、本発明の実施の形態１によるガス絶縁開閉装置の他の構成例を示すもので、線路側接続端子１１a、１１b、１１cが図１のものとは反対方向（図の左側）に存在する場合の例である。各部の構成は図１のものと全く同一であるので説明は省略する。
これにより明らかなように、主母線２a〜２cを遮断器１a〜１ｃの口出部間の中央部分に垂直方向に配置することにより、主母線が遮断器の口出部間寸法内に収まることとなり、この例のように変電所での外部接続線路の設置位置の変更等、現場での設置条件、設置スペースが厳しい状況においても比較的自由度をもって施工できるため、標準化を進める上で非常に有効である。【００１６】
実施の形態２．
図３は、本発明の実施の形態２によるガス絶縁開閉装置の構成例を示すもので、前記実施の形態１と異なるところは主母線２a〜２cの配置構成のみである。すなわち、実施の形態２では主母線の２つ（２ｂ、２ｃ）を遮断器１a〜１ｃの口出部間の中央部分に垂直方向に配置すると共に、他の一つの主母線２aを上記２つの主母線との間で直角二等辺三角形を形成するように配置したものである。
図４は上記実施の形態２によるガス絶縁開閉装置の他の構成例を示すもので、線路側接続端子１１a、１１b、１１cが、図３のものとは反対方向（図の左側）に存在する場合の例である。その他の各部の構成は図３のものと全く同一であるので説明は省略する。【００１７】
実施の形態２によれば、主母線２a〜２cを遮断器１a〜１ｃの口出部間において直角二等辺三角形を形成するように配置したので、実施の形態１のものに比べて取付け面Ｆからの高さhを低くすることができ、据付空間を縮小することができる。また、外部線路との連結部２１a、２１b、２１cは各相について同一のものが使用できる。【００１８】
実施の形態３．
図５は、本発明の実施の形態３によるガス絶縁開閉装置の構成例を示すもので、３相主母線を一群とする複数群の主母線から構成される場合の適用例を示している。本実施の形態の特徴は、前記実施の形態２の主母線２a〜２cの上に他の主母線３a〜３cを積み重ね状に構成した点である。すなわち、実施の形態２の連結部２０a、２０b、２０cの上に他の連結部２２a、２２b、２２cを介して他の主母線３a〜３cを直角二等辺三角形を形成するように連結したものである。連結部２２a、２２b、２２cはそれぞれ異なる形状のものとなるが、連結部２２aは主母線３aに、連結部２２ｂは主母線３ｂに、連結部２２ｃは主母線３ｃにそれぞれ接続される。【００１９】
図６は上記実施の形態３によるガス絶縁開閉装置の他の構成例を示すもので、線路側接続端子１１a、１１b、１１cが図５のものとは反対方向（図の左側）に存在する場合の例である。その他の各部の構成は図５のものと全く同一であるので説明は省略する。
実施の形態３によれば、主母線２a〜２c、主母線３a〜３cを遮断器１a〜１ｃの口出部間において直角二等辺三角形を形成するように配置したので、複数群からなる多相主母線を利用するにも拘らず、実施の形態１及び２と同様主母線が遮断器の口出部間寸法内に収まることとなり、設置空間の更なる縮小が図られ、現場環境に応じて比較的自由度をもった施が可能となる。また、連結部２０a、２０b、２０c、連結部２１a、２１b、２１c、及び連結部２２a、２２b、２２cの間には同一形状のものがそのまま或いは反転して使用できるため、使用部品の標準化を図ることができる。【００２０】
なお、図５（ｂ）に２０a、２０b、２０cと連結部２２a、２２b、２２cとの間にギャップｇを設けているのは、図６（ｂ）のように反転したときの抜き用ギャップとなるためである。
この発明の各種の変形または変更は、関連する熟練技術者が、この発明の範囲と精神を逸脱しない中で実現可能であり、この明細書に記載された各実施の形態には制限されないことと理解されるべきである。
【図１】
2008075436.tif 000003
【図２】
2008075436.tif 000004
【図３】
2008075436.tif 000005
【図４】
2008075436.tif 000006
【図５】
2008075436.tif 000007
【図６】
2008075436.tif 000008
【図７】
2008075436.tif 000009
【国際調査報告】
2008075436.tif 000010
2008075436.tif 000011
2008075436.tif 000012